(57)【要約】【課題】  目的地に到着するまでに目的地に関連した音楽を地図データ等が保存された大容量記録媒体に保存を完了させると共に、ナビゲーション装置から大容量記録媒体を取り外した場合でも、携帯型オーディオ装置として使用することができるナビゲーション装置を提供する。【解決手段】  現在位置から目的地までの到着時間を到着時間算出手段で算出し、この算出された到着時間内に情報記録手段に保存可能な目的地に関連したデジタルデータを選択手段で選択するように制御手段を用いて制御するので、到着時間までに情報記録手段に保存できるデジタルデータを優先的に選択して情報記録手段に保存することができ、目的地に到着したときにナビゲーション装置から情報記録手段を着脱して使用する。【選択図】  図１
2007205838.tif 000002
【特許請求の範囲】
【請求項１】
地図データに基づいて現在位置から目的地を設定して経路案内する経路案内手段と、
音楽や音声や映像のデジタルデータを取得するデジタルデータ取得手段と、
前記地図データが記録されていると共に前記デジタルデータを保存可能に構成された情報記録手段と、
前記経路案内手段で設定された前記目的地に基づき前記デジタルデータを選択するデジタルデータ選択手段と、
前記デジタルデータを前記情報記録手段に保存する書込み手段を備えたことを特徴とするナビゲーション装置。
【請求項２】
前記情報記録手段は、着脱可能に構成され保存された前記デジタルデータを再生する再生手段を備えることを特徴とする請求項１に記載のナビゲーション装置。
【請求項３】
前記ナビゲーション装置は、現在位置から目的地までの到着時間を算出する到着時間算出手段と、前記算出手段で算出された前記到着時間内に前記情報記録手段に保存可能な前記デジタルデータを選択させるように前記デジタルデータ選択手段を制御する制御手段を備えることを特徴とする請求項１又は請求項２に記載のナビゲーション装置。
【請求項４】
前記書込み手段は、前記デジタルデータを前記情報記録手段に保存する際のビットレートを変更するビットレート変更手段を備えることを特徴とする請求項１から請求項３のいずれか１項に記載のナビゲーション装置。
【請求項５】
前記ビットレート変更手段は、目的地までの到着時間に応じて前記ビットレートを変更することを特徴とする請求項４に記載のナビゲーション装置。
【請求項６】
前記ナビゲーション装置は、前記到着時間の変更を検出する変更検出手段と、前記変更検出手段で到着時間の変更が検出されたときに前記情報記録手段に前記デジタルデータの保存が可能か否かを判断する保存判定手段を備えることを特徴とする請求項３から請求項５のいずれか１項に記載のナビゲーション装置。
【発明の詳細な説明】
【技術分野】
【０００１】
本発明は楽曲や映像等のデジタルデータを記録手段に保存し、再生することができるナビゲーション装置に関するものである。
【背景技術】
【０００２】
従来から大容量の地図データを保存したハードディスクを備え、このハードディスクに市販の音楽ＣＤ等の音楽データを保存して車内で音楽を楽しむ機能を備えたナビゲーション装置がある（例えば、特許文献１）。
【０００３】
また、このようなナビゲーション装置のハードディスクを取り外し、自宅のテレビ等に接続装置を介してハードディスクを接続することで車内と同じ音楽を楽しんだり、ドライブプランを設定することができるものが知られている。
【特許文献１】特開２００４−２６４１１５号公報
【発明の開示】
【発明が解決しようとする課題】
【０００４】
しかしながら、このようなハードディスクが取外し可能に構成されたナビゲーション装置では、ハードディスクに保存された音楽を再生するためにナビゲーション装置に接続した状態で再生を行うか、接続装置等にハードディスクを接続してテレビや外部の音響装置を介して再生することしかできないという問題があった。また、ナビゲーション装置から取外したハードディスクは再生機能を備えていないため、携帯型オーディオ装置として利用することができないという問題があった。
【０００５】
そこで本発明は、目的地に到着するまでに目的地に関連した音楽を地図データ等が保存された大容量記録媒体に保存を完了させると共に、ナビゲーション装置から大容量記録媒体を取り外した場合でも、携帯型オーディオ装置として使用することができるナビゲーション装置を提供することを目的とする。
【課題を解決するための手段】
【０００６】
本発明のナビゲーション装置は、地図データに基づいて現在位置から目的地を設定して経路案内する経路案内手段と、音楽や音声や映像のデジタルデータを取得するデジタルデータ取得手段と、前記地図データが記録されていると共に前記デジタルデータを保存可能に構成された情報記録手段と、前記経路案内手段で設定された前記目的地に基づき前記デジタルデータを選択するデジタルデータ選択手段と、前記デジタルデータを前記情報記録手段に保存する書込み手段を備えて構成されている。
【０００７】
このように構成されたナビゲーション装置によれば、目的地に基づいた音楽や音声や映像等のデジタルデータをデジタルデータ選択手段が選択して書込み手段を用いて情報記録手段に保存することができ、目的地にちなんだ例えば、目的地の地名に基づいた音楽のデジタルデータをデジタルデータ選択手段が選択して情報記録手段に保存することができる。
【０００８】
また、本発明のナビゲーション装置の情報記録手段は、着脱可能に構成され保存された前記デジタルデータを再生する再生手段を備えて構成されている。
【０００９】
このように構成されたナビゲーション装置によれば、情報記録手段はナビゲーション装置から着脱可能に構成されると共に、情報記録手段に再生手段を備えているので情報記録
手段の着脱時に情報記録手段単体でも情報記録手段に保存されたデジタルデータを再生することができる。なお、情報記録手段がナビゲーション装置から着脱され再生手段でデジタルデータを再生する際に、ヘッドホンやスピーカ等を情報記録手段に接続して出力して再生することができ、いわゆる携帯型オーディオとして使用することができる。
【００１０】
また、本発明前記ナビゲーション装置は、現在位置から目的地までの到着時間を算出する到着時間算出手段と、前記算出手段で算出された前記到着時間内に前記情報記録手段に保存可能な前記デジタルデータを選択させるように前記デジタルデータ選択手段を制御する制御手段を備えて構成されている。
【００１１】
このように構成されたナビゲーション装置によれば、現在位置から目的地までの到着時間を到着時間算出手段で算出し、この算出された到着時間内に情報記録手段に保存可能な目的地に関連したデジタルデータを選択手段で選択するように制御手段を用いて制御するので、到着時間までに情報記録手段に保存できるデジタルデータを優先的に選択して情報記録手段に保存することができ、目的地に到着したときにナビゲーション装置から情報記録手段を着脱して使用することができる。例えば、情報記録手段に保存されたデジタルデータの音楽を楽しむことができる。
【００１２】
また、本発明のナビゲーション装置の書込み手段は、前記デジタルデータを前記情報記録手段に保存する際のビットレートを変更するビットレート変更手段を備えて構成されている。
【００１３】
このように構成されたナビゲーション装置によれば、デジタルデータを情報記録手段に保存する際にビットレート変更手段を用いてビットレートを変更して保存することができる。
【００１４】
また、本発明のナビゲーション装置のビットレート変更手段は、目的地までの到着時間に応じて前記ビットレートを変更するように構成されている。
【００１５】
このように構成されたナビゲーション装置によれば、目的地までの到着時間に応じてビットレートを変更するように構成しているので、到着時間までの間に情報記録手段に多くのデジタルデータを保存することができる。
【００１６】
また、本発明のナビゲーション装置は、前記到着時間の変更を検出する変更検出手段と、前記変更検出手段で到着時間の変更が検出されたときに前記情報記録手段に前記デジタルデータの保存が可能か否かを判断する保存判定手段を備えて構成されている。
【００１７】
このように構成されたナビゲーション装置によれば、目的地までの到着時間の変更を変更検出手段で検出されると、変更された到着時間内に情報記録手段にデジタルデータが保存することができるか否かを保存判定手段で判断し、保存できる時間であればデジタルデータを情報記録手段に保存することができる。
【発明の効果】
【００１８】
本発明によれば、設定された目的地に応じて音楽や音声や映像等のデジタルデータを選択し、目的地のジャンルに関連付けられた音楽または映像コンテンツを記録することにより、ユーザが所望する目的地に相応しいジャンルのコンテンツを記録することができ、また、情報記録手段を取外可能に構成すると共に単独で情報記録手段に保存されたコンテンツを再生可能に構成しているので携帯型オーディオとしても利用できる優れた効果を有する。
【発明を実施するための最良の形態】
【００１９】
以下、本発明の実施の形態のナビゲーション装置について図面を用いて詳細に説明する。
（第１の実施の形態）
図１は、本発明の第１の実施の形態のナビゲーション装置を示すブロック図である。図２は、ナビゲーション装置からデータ格納部を着脱した状態を示す模式図である。
【００２０】
本発明の第１の実施の形態のナビゲーション装置Ａは、図１に示すように着脱可能に構成されたコンテンツデータ格納部１と、制御部２と、データ取得部３と、コンテンツデータ入力部４と、入力部５と、表示部６と、位置検出部７、車速検出部８とで構成されている。なお、ナビゲーション装置Ａは、図２に示すようにナビゲーション装置Ａからデータ格納部１が着脱可能に構成されている。
【００２１】
ここで、データ格納部１（情報記録手段）は、電子化された地図が保存された地図データ格納部１ａと、コンテンツが再生された履歴を記録したコンテンツ再生履歴格納部１ｂと、音楽データや映像などのデジタルデータが保存されたコンテンツデータ保存部１ｃに保存されたデジタルデータを再生するデータ再生部１ｄと、ナビゲーション装置Ａからデータ格納部１が外されたときに電力を供給する電力供給部１ｅとを備えて構成されている。なお、データ格納部１として、ハードディスクドライブ（ＨＤＤ）、ＳＤカードやフラッシュメモリ等を用いることができる。また、コンテンツ再生履歴データは再生されたコンテンツ名、アーティスト、ジャンルといったコンテンツ種別、コンテンツが再生されたコンテンツ累積再生時間、及びコンテンツが再生された車両内、車両外といったコンテンツ再生環境種別のデータで構成されている。
【００２２】
制御部２は、ＡＭラジオ、ＦＭラジオ、テレビ、データ格納部１、コンテンツデータ入力部４からの入力等のコンテンツを選択し再生するコンテンツ再生部２ａ（再生手段）と、コンテンツ情報取得部３ｂから取得された情報から目的地までの到着時間に保存できる目的地に基づいた音楽を選択して音楽リストを作成する音楽リスト作成部２ｂ（デジタルデータ選択手段）と、音楽リスト作成部２ｂで作成された音楽リストに基づいてコンテンツ記録データ格納部１ｃにデジタルデータを保存（記録）させるコンテンツ記録部２ｃ（書込み手段）と、コンテンツ記録部２ｃを到着時間の変化に応じて保存する音楽の変更及び保存する音楽のビットレートの変更を制御する保存制御部２ｄと、ナビゲーション装置Ａにおいて経路探索を行う経路探索部２ｅ（経路探索手段）と、経路探索部２ｅで検出された経路において現在地から目的地までの到着時間を算出する到着時間算出部２ｆ（到着時間算出手段）を備えて構成されている。
【００２３】
なお、音楽リスト作成部２ｂは、コンテンツ情報取得部３ｂから取得された音楽や映像のデジタルデータの情報から目的地に基づいた音楽を選択してリストを作成することができるように構成されている。ここで、音楽の場合は、コンテンツ情報取得部３ｂで曲名、歌詞、歌手、リズム等の内容を把握することで目的地に応じた音楽リストを作成することができ、例えば、目的地が海の近くであれば海に関連した、歌詞、曲名、歌手等に基づいて音楽を選択することができるように構成されている。
【００２４】
データ取得部３は、コンテンツデータ入力部４を介して音楽や映像や音声のデジタルデータを読み出すコンテンツ読出部３ａと、コンテンツ読出部３ａで読み出されたコンテンツの情報を取得するコンテンツ情報取得部３ｂとを備えて構成されている。ここで、コンテンツ情報取得部３ｂは、コンテンツデータ入力部４から入力される音楽や映像や音声のデジタルデータから歌詞、曲名、歌手等の情報を取得できるように構成されている。
【００２５】
コンテンツデータ入力部４は、音楽ＣＤ、音楽ＤＶＤ、映像ＣＤ，映像ＤＶＤ、映画Ｄ
ＶＤ等のコンテンツを読み込むことができるように構成されると共に、携帯型オーディオや、ハードディスクオーディオや、フラッシュメモリを用いた携帯型オーディオ等を接続して音楽または映像コンテンツを入力することができるように構成されている。なお、本発明の実施の形態では、コンテンツデータ入力部４から音楽ＤＶＤに保存されている音楽を読み込み、コンテンツデータ保存部１ｃに保存するものとして説明を行う。ここで、この音楽ＤＶＤには大量の音楽が保存されているものとする。
【００２６】
入力部５は、ナビゲーション装置Ａの操作を行うことができるもので、例えば、目的地の設定、音量の調整、再生コンテンツの選択等を行うことができるように構成されている。
【００２７】
表示部６は、地図データの表示、経路案内図、再生しているコンテンツ情報の表示や、目的地に到着する到着時間等を表示することができるように構成されている。
【００２８】
位置検出部７は、ナビゲーション装置Ａにおいて車両の現在位置を検出するものである。また、車速検出部８は、ナビゲーション装置Ａにおいて地図表示を行う際に車両の移動速度と地図表示の移動速度を連動させるために、車両の速度を検出するように構成されている。
【００２９】
また、図２に示すようにナビゲーション装置Ａは、データ格納部１が着脱可能に構成されており、例えば、データ格納部１にヘッドホン１ｆを接続することでコンテンツデータ保存部１ｃに保存された音楽を再生して聞くことができるなお、ヘッドホン１ｆは、例えば、一般的なスピーカやヘッドフォン等であり、ヘッドホン１ｆをデータ格納部１に接続して、コンテンツデータ保存部１ｃに保存された音楽をデータ再生部１ｄを再生して楽しむことができる。
【００３０】
次に、このように構成された第１の実施の形態のナビゲーション装置Ａの動作について図面を用いて詳細に説明する。図３は、本発明の第１の実施の形態におけるナビゲーション装置の動作を示すフロー図である。
【００３１】
まず、ナビゲーション装置Ａの入力部５から目的地が設定（Ｓ１）されると、現在地から目的地までの経路が経路探索部２ｅで検索され、検索された経路における目的地までの到着時間を到着時間算出部２ｆで算出（Ｓ２）する。また、音楽リスト作成部２ｂは、目的地に関連した音楽がコンテンツデータ入力部４から入力される音楽ＤＶＤに記録されているか否かを判断し（Ｓ３）、目的地に関連した音楽が音楽ＤＶＤに記録されていると判断すると（Ｓ３、ＹＥＳ）、音楽ＤＶＤから目的地に関連した音楽を抽出する（Ｓ４）。そして、目的地までの到着時間内に保存可能な目的地に関連した音楽を選択して音楽リストを作成し（Ｓ５）、作成された音楽リストに基づきコンテンツ記録部２ｃを用いて音楽をコンテンツデータ保存部１ｃに保存する（Ｓ６）。
【００３２】
なお、Ｓ３において目的地に関連した音楽がコンテンツデータ入力部４から入力される音楽ＤＶＤに無いと判断されたときは（Ｓ３、ＮＯ）、目的地までの到着時間内に保存可能な音楽ＤＶＤに保存されている音楽の選択を行い（Ｓ７）、選択された音楽の順番で保存する（Ｓ７ａ）。
【００３３】
このように構成されたナビゲーション装置Ａは、目的地が設定されると目的地に応じた音楽を抽出し、目的地までの到着時間までに保存できる音楽リストを作成して音楽リストに基づいて音楽を保存することができるため、目的地に到着後、ナビゲーション装置Ａからコンテンツデータ格納部１を取り外して携帯型オーディオとして使用した場合でも（図２参照）、目的地に応じた音楽をコンテンツデータ格納部１のデータ再生部１ｄを用いて
再生して楽しむことができる。
【００３４】
また、目的地に関連した音楽が無かった場合でも、目的地の到着時間に合わせて音楽を保存することができ、目的地に到着後、ナビゲーション装置Ａからコンテンツデータ格納部１を取り外して携帯型オーディオとして使用した場合でも（図２参照）、目的地までに到着する時間の間に完全に保存できるものだけを保存しているので違和感無くコンテンツデータ格納部１のデータ再生部１ｄを用いて音楽を再生して楽しむことができる。
【００３５】
（第２の実施の形態）
次に第２の実施の形態について図面を用いて説明する。なお、第１の実施の形態と同じ箇所については同様の符号を付し、詳細な説明は省略する。
図４は、本発明の第２の実施の形態におけるナビゲーション装置の動作を示すフロー図である。
【００３６】
第２の実施の形態におけるナビゲーション装置Ａの構成は、図１及び図２に示した構成と同様である。
ここで、第２の実施の形態におけるナビゲーション装置Ａの制御部２の保存制御部２ｄは、目的地の到着時間の変更に応じて到着時間内に音楽の保存が完了できる音楽に変更するように構成されている。例えば、データ格納部１のコンテンツデータ保存部１ｃに音楽や映像や音声等のデジタルデータを保存する際に、変更された到着時間内に保存できる音楽に変更して、目的地に到着する時には音楽の保存が完了することができる。なお、他の部分に関しては第１の実施の形態と同様であり詳細な説明を省略する。
【００３７】
このように構成されたナビゲーション装置Ａの動作についてフロー図を用いて説明する。図４は、第２の実施の形態におけるナビゲーション装置の動作を示すフロー図である。
【００３８】
まず、ナビゲーション装置Ａの入力部５から目的地が設定（Ｓ１）されると、目的地までの到着時間を算出（Ｓ２）すると共に目的地に関連した音楽が音楽ＤＶＤに記録されているか否かを判断する（Ｓ３）。ここで、目的地に関連した音楽が音楽ＤＶＤに記録されていると判断されると（Ｓ３、ＹＥＳ）、音楽ＤＶＤから目的地に関連した音楽を抽出する（Ｓ４）。そして、抽出された目的地に関連した音楽を用いて目的地までの到着時間内に保存可能な音楽を選択して音楽リストを作成し（Ｓ５）、作成された音楽リストに基づき音楽をコンテンツデータ保存部１ｃに保存する（Ｓ６）。
【００３９】
また、ナビゲーション装置Ａは、コンテンツデータ保存部１ｃに音楽リストに従って音楽を保存しているときに交通状況の変化や渋滞等によって到着時間の変更がないかを検出している（Ｓ８）。ここで、到着時間の変更が検出されないと（Ｓ８、ＮＯ）、作成された音楽リストに基づいてコンテンツデータ保存部１ｃに保存する（Ｓ９）。
【００４０】
また、到着時間の変更が検出されたときは（Ｓ８、ＹＥＳ）、目的地までの到着時間が早くなるのか遅くなるのか判断する（Ｓ１０）。このとき、到着時間が早くなると判断された時は（Ｓ１０、ＹＥＳ）、変更された到着時間内に保存できる音楽に自動的に変更して（Ｓ２０）、変更した音楽をコンテンツデータ保存部１ｃに保存する（Ｓ２１）。また、到着時間が遅くなる場合には（Ｓ１０、ＮＯ）、予めステップ５（Ｓ５）で作成した音楽リストを再構築して新しい到着時間までの再生リストを作成するように構成されている。
なお、ステップ５（Ｓ５）で作成した音楽リストのうちコンテンツデータ保存部１ｃに保存済みの音楽は重複して保存しないように音楽リストを再構築するように構成されている。
【００４１】
なお、Ｓ３において目的地に関連した音楽が無い（Ｓ３、ＮＯ）と判断されたときは、目的地までの到着時間内に保存が完了する音楽を選択し（Ｓ７）、選択された音楽を保存する（Ｓ７ａ）。このとき、ステップ２（Ｓ２）で算出された目的地までの到着時間の変更があるかないかを判断する（Ｓ８）。
【００４２】
このとき、到着時間の変更が無いときは（Ｓ８、ＮＯ）、ステップ７（Ｓ７）で選択された音楽をコンテンツデータ保存部１ｃに保存する（Ｓ９ａ）。また、到着時間の変更があったときは（Ｓ８、ＹＥＳ）、到着時間の変更が早くなるのか遅くなるのか判断する（Ｓ１０）。このとき、到着時間が早くなると判断された時は（Ｓ１０、ＹＥＳ）、変更された到着時間内に保存できる音楽に自動的に変更して（Ｓ２０）、変更した音楽をコンテンツデータ保存部１ｃに保存する（Ｓ２１）。
【００４３】
また、到着時間が遅くなる場合には（Ｓ１０、ＮＯ）、予めステップ７（Ｓ７）で選択した音楽から新しい到着時間までの保存可能な音楽を再選択するように構成されている。なお、ステップ７（Ｓ７）で選択した音楽のうちコンテンツデータ保存部１ｃに保存済みの音楽は重複して保存しないように音楽を再選択するように構成されている。
【００４４】
このように構成されたナビゲーション装置Ａは、目的地が設定されると目的地に応じた音楽を抽出し、抽出した音楽から目的地までの到着時間までに保存できる音楽リストを作成して音楽リストに基づいて音楽を保存することができ、到着時間が変更され目的地に早めに到着するときには、変更された到着時間内に保存できる音楽に変更して保存することができるため、目的地に到着するまでに目的地に基づいた音楽を保存しナビゲーション装置Ａからコンテンツデータ格納部１を取り外して携帯型オーディオとして使用した場合でも（図２参照）、目的地に応じた音楽をコンテンツデータ格納部１のデータ再生部１ｄを用いて再生して楽しむことができる。
【００４５】
また、到着時間が変更されて目的地の到着が遅くなるときには、到着時間が変更されるまえに作成された音楽リストを再構築するように構成するので、到着時間が遅くなった分だけ多くの音楽をコンテンツデータ保存部１ｃに保存することができる。
【００４６】
また、目的地に関連した音楽が無かった場合でも、目的地の到着時間に合わせて音楽を保存することができ、到着時間の変更が生じて、到着時間が早くなった場合には到着時間内に保存できる音楽に自動的に変更して保存し、到着時間が遅くなった場合にはコンテンツデータ保存部１ｃに多くの音楽を保存できるので、目的地に到着後、ナビゲーション装置Ａからコンテンツデータ格納部１を取り外して携帯型オーディオとして使用した場合でも（図２参照）、目的地までに到着する時間の間に完全に保存できるものだけを保存しているので違和感無くコンテンツデータ格納部１のデータ再生部１ｄを用いて音楽を再生して楽しむことができる。
【００４７】
（第３の実施の形態）
次に第３の実施の形態について図面を用いて説明する。なお、第１の実施の形態及び第２の実施の形態と同じ箇所については同様の符号を付し、詳細な説明は省略する。
図５は、本発明の第３の実施の形態におけるナビゲーション装置の動作を示すフロー図である。
【００４８】
第３の実施の形態におけるナビゲーション装置Ａの構成は、図１及び図２に示した構成と同様である。
ここで、第３の実施の形態におけるナビゲーション装置Ａの制御部２の保存制御部２ｄは、目的地の到着時間の変更に応じて到着時間内に音楽の保存が完了できるように自動的にビットレートを変更するように構成されている。例えば、コンテンツデータ格納部１の
コンテンツデータ保存部１ｃに音楽や映像や音声等のデジタルデータを保存する際にビットレートを変更して保存するので、目的地に到着する時には音楽の保存が完了することができる。
【００４９】
このように構成されたナビゲーション装置Ａの動作についてフロー図を用いて説明する。図５は、第３の実施の形態におけるナビゲーション装置の動作を示すフロー図である。
【００５０】
まず、ナビゲーション装置Ａの入力部５から目的地が設定（Ｓ１）されると、目的地までの到着時間を算出（Ｓ２）すると共に目的地に関連した音楽が音楽ＤＶＤに記録されているか否かを判断する（Ｓ３）。ここで、目的地に関連した音楽が音楽ＤＶＤに記録されていると判断されると（Ｓ３、ＹＥＳ）、音楽ＤＶＤから目的地に関連した音楽を抽出する（Ｓ４）。そして、抽出された目的地に関連した音楽を用いて目的地までの到着時間内に保存可能な音楽を選択して音楽リストを作成し（Ｓ５）、作成された音楽リストに基づき音楽をコンテンツデータ保存部１ｃに保存する（Ｓ６）。
【００５１】
また、ナビゲーション装置Ａは、コンテンツデータ保存部１ｃに音楽リストに従って音楽を保存しているときに交通状況の変化や渋滞等によって到着時間の変更がないかを検出している（Ｓ８）。ここで、到着時間の変更が検出されないと（Ｓ８、ＮＯ）、作成された音楽リストに基づいてコンテンツデータ保存部１ｃに保存する（Ｓ９）。
【００５２】
また、到着時間の変更が検出されたときは（Ｓ８、ＹＥＳ）、目的地までの到着時間が早くなるのか遅くなるのか判断する（Ｓ１０）。このとき、到着時間が早くなると判断された時は（Ｓ１０、ＹＥＳ）、保存するビットレートを変更して（Ｓ３０）、変更したビットレートで音楽をコンテンツデータ保存部１ｃに保存する（Ｓ３１）。
【００５３】
また、到着時間が遅くなる場合には（Ｓ１０、ＮＯ）、予めステップ５（Ｓ５）で作成した音楽リストを再構築して新しい到着時間までの再生リストを作成するように構成されている。なお、ステップ５（Ｓ５）で作成した音楽リストのうちコンテンツデータ保存部１ｃに保存済みの音楽は重複して保存しないように音楽リストを再構築するように構成されている。
【００５４】
なお、Ｓ３において目的地に関連した音楽が無い（Ｓ３、ＮＯ）と判断されたときは、目的地までの到着時間内に保存が完了する音楽を選択し（Ｓ７）、選択された音楽を保存する（Ｓ７ａ）。このとき、ステップ２（Ｓ２）で算出された目的地までの到着時間の変更があるかないかを判断する（Ｓ８）。
【００５５】
このとき、到着時間の変更が無いときは（Ｓ８、ＮＯ）、ステップ７（Ｓ７）で選択された音楽をコンテンツデータ保存部１ｃに保存する（Ｓ９ａ）。また、到着時間の変更があったときは（Ｓ８、ＹＥＳ）、到着時間の変更が早くなるのか遅くなるのか判断する（Ｓ１０）。このとき、到着時間が早くなると判断された時は（Ｓ１０、ＹＥＳ）、保存するビットレートを変更して（Ｓ３０）、変更したビットレートで音楽をコンテンツデータ保存部１ｃに保存する（Ｓ３１）。
【００５６】
また、到着時間が遅くなる場合には（Ｓ１０、ＮＯ）、予めステップ７（Ｓ７）で選択した音楽から新しい到着時間までの保存可能な音楽を再選択するように構成されている。なお、ステップ７（Ｓ７）で選択した音楽のうちコンテンツデータ保存部１ｃに保存済みの音楽は重複して保存しないように音楽を再選択するように構成されている。
【００５７】
このように構成されたナビゲーション装置Ａは、目的地が設定されると目的地に応じた音楽を抽出し、抽出した音楽から目的地までの到着時間までに保存できる音楽リストを作
成して音楽リストに基づいて音楽を保存することができ、到着時間が変更され目的地に早めに到着するときには、変更された到着時間内に保存できるように音楽を保存するビットレートを変更して保存することができるため、目的地に到着するまでに目的地に基づいた音楽を保存しナビゲーション装置Ａからコンテンツデータ格納部１を取り外して携帯型オーディオとして使用した場合でも（図２参照）、目的地に応じた音楽をコンテンツデータ格納部１のデータ再生部１ｄを用いて再生して楽しむことができる。
【００５８】
また、到着時間が変更されて目的地の到着が遅くなるときには、到着時間が変更されるまえに作成された音楽リストを再構築するように構成するので、到着時間が遅くなった分だけ多くの音楽をコンテンツデータ保存部１ｃに保存することができる。
【００５９】
また、目的地に関連した音楽が無かった場合でも、目的地の到着時間に合わせて音楽を保存することができ、到着時間の変更が生じて、到着時間が早くなった場合には音楽を保存するビットレートを変更して保存することができるため、到着時間が遅くなった場合にはコンテンツデータ保存部１ｃに多くの音楽を保存できるので、目的地に到着後、ナビゲーション装置Ａからコンテンツデータ格納部１を取り外して携帯型オーディオとして使用した場合でも（図２参照）、目的地までに到着する時間の間に完全に保存できるものだけを保存しているので違和感無くコンテンツデータ格納部１のデータ再生部１ｄを用いて音楽を再生して楽しむことができる。
【００６０】
以上、本発明のナビゲーション装置Ａについて第１の実施の形態から第３の実施の形態を用いて説明したが、本願を限定するものではなく種々の変更を行うことができる。図６は、他の実施の形態において表示部に表示される表示例を示す模式図。
【００６１】
例えば、図６に示すように、ナビゲーション装置Ａの表示部６に表示された設定項目において、目的地を設定した際に優先的に保存する音楽を設定できるように優先保存音楽リスト設定の項目を表示させ、予めナビゲーション装置Ａの使用者に設定させるようにしてもよい。
【００６２】
また、本発明のナビゲーション装置Ａは、目的地に応じた音楽を到着時間内に保存するように構成したが、例えば、到着時間内にできるだけ目的地に応じた多くの音楽をコンテンツデータ保存部１ｃに保存するように構成してもよい。このように構成すると、目的地に到着する時間までに多くの曲数を保存することができる。
【００６３】
また、本発明のナビゲーション装置Ａの利用者が、好きなアーティストを予め設定しておき、目的地に合わせて音楽を選択する際に、設定したアーティストの音楽を優先的に選択して保存するように構成してもよい。
【産業上の利用可能性】
【００６４】
以上のように、本発明にかかるナビゲーション装置は、現在位置から目的地までの到着時間を到着時間算出手段で算出し、この算出された到着時間内に情報記録手段に保存可能な目的地に関連したデジタルデータを選択手段で選択するように制御手段を用いて制御するので、到着時間までに情報記録手段に保存できるデジタルデータを優先的に選択して情報記録手段に保存することができるナビゲーション装置として有用であると共に目的地に到着したときにナビゲーション装置から情報記録手段を着脱して使用することができるナビゲーション装置としても有用である。
【図面の簡単な説明】
【００６５】
【図１】本発明の第１の実施の形態のナビゲーション装置を示すブロック図
【図２】ナビゲーション装置からデータ格納部を着脱した状態を示す模式図
【図３】本発明の第１の実施の形態におけるナビゲーション装置の動作を示すフロー図
【図４】本発明の第２の実施の形態におけるナビゲーション装置の動作を示すフロー図
【図５】本発明の第３の実施の形態におけるナビゲーション装置の動作を示すフロー図
【図６】他の実施の形態において表示部に表示される表示例を示す模式図
【符号の説明】
【００６６】
１    データ格納部
１ａ  地図データ格納部
１ｂ  コンテンツ再生履歴格納部
１ｃ  コンテンツデータ保存部
１ｄ  データ再生部
１ｅ  電力供給部
１ｆ  ヘッドホン
２    制御部
２ａ  コンテンツ再生部
２ｂ  音楽リスト作成部
２ｃ  コンテンツ記録部
２ｄ  保存制御部
２ｅ  経路探索部
２ｆ  到着時間算出部
３    データ取得部
３ａ  コンテンツデータ読出部
３ｂ  コンテンツ情報取得部
４    コンテンツデータ入力部
５    入力部
６    表示部
７    位置検出部
８    車速検出部
Ａ    ナビゲーション装置
【図１】
2007205838.tif 000003
【図２】
2007205838.tif 000004
【図３】
2007205838.tif 000005
【図４】
2007205838.tif 000006
【図５】
2007205838.tif 000007
【図６】
2007205838.tif 000008